(57)【要約】  操作装置は、操作者により操作可能な操作対象を表示する表示画面と、前記表示画面上における前記操作対象の移動方向を操作入力可能な入力手段と、前記入力手段による操作入力に伴って前記操作対象が前記表示画面上を移動したことに応じて、前記操作者が前記表示画面に表示される前記操作対象を直接視認せずに認識可能な所定のフィードバックを行なうフィードバック手段と、を備える操作装置であって、前記入力手段は、前記表示画面上における前記操作対象の前記移動方向への移動速度および移動量を操作入力可能であり、前記フィードバック手段は、前記操作対象の移動速度および前記操作対象の移動開始前の前記表示画面上の位置に対する相対的な移動量のうち少なくとも一方の変化に応じて、前記フィードバックの様態が連続的に変化するように前記フィードバックを行なう。
2012132495.tif 000002
【特許請求の範囲】
【請求項１】
操作者により操作可能な操作対象を表示する表示画面と、
前記表示画面上における前記操作対象の移動方向を操作入力可能な入力手段と、
前記入力手段による操作入力に伴って前記操作対象が前記表示画面上を移動したことに応じて、前記操作者が前記表示画面に表示される前記操作対象を直接視認せずに認識可能な所定のフィードバックを行なうフィードバック手段と、を備える操作装置であって、
前記入力手段は、前記表示画面上における前記操作対象の前記移動方向への移動速度および移動量を操作入力可能であり、
前記フィードバック手段は、前記操作対象の移動速度および前記操作対象の移動開始前の前記表示画面上の位置に対する相対的な移動量のうち少なくとも一方の変化に応じて、前記フィードバックの様態が連続的に変化するように前記フィードバックを行なう
ことを特徴とする操作装置。
【請求項２】
前記フィードバック手段は、音を発することで前記フィードバックを行なう音フィードバック手段を有し、
前記操作対象の移動速度および前記操作対象の移動開始前の前記表示画面上の位置に対する相対的な移動量のうち少なくとも一方が大きくなることにつれて、前記音フィードバック手段から発する前記音の周波数および音量のうち少なくとも一方を増大傾向に変化させる
ことを特徴とする請求項１に記載の操作装置。
【請求項３】
前記フィードバック手段は、音を発することで前記フィードバックを行なう音フィードバック手段を有し、
前記操作対象の移動方向と対応するように前記操作対象の移動方向の変化に応じて前記音の音像を変化させる
ことを特徴とする請求項１に記載の操作装置。
【請求項４】
前記表示画面および前記フィードバック手段は車両に搭載され、
前記フィードバック手段は、音を発することで前記フィードバックを行なう音フィードバック手段を有し、
前記入力手段は、前記車両の運転者によって操作可能な車両室内の所定位置に配置され、前記車両に接近する障害物が存在する方向を検出する障害物検出手段を備え、
前記音フィードバック手段は、前記障害物検出手段により前記車両に接近する前記障害物が検出された場合には、前記障害物検出手段により検出された前記障害物が存在する方向の音像で前記操作対象の移動に応じて発する前記音とは異なる音を発する
ことを特徴とする請求項１に記載の操作装置。
【請求項５】
前記フィードバック手段は、前記入力手段に振動を伝達することで前記フィードバックを行なう振動フィードバック手段を有し、
前記操作対象の移動速度および前記操作対象の移動開始前の前記表示画面上の位置に対する相対的な移動量のうち少なくとも一方が大きくなることにつれて、前記振動フィードバック手段により前記入力手段に伝達される前記振動の周波数および振幅のうち少なくとも一方を増大傾向に変化させる
ことを特徴とする請求項１に記載の操作装置。
【請求項６】
前記操作者の視線方向を検出すると共に、前記検出された視線方向が前記表示画面に向けられているか否かを判定する視線検出手段をさらに備え、
前記フィードバック手段は、前記視線検出手段により前記操作者の視線方向が前記表示画面に向けられていないと判定された場合には前記フィードバックを実行し、前記視線検出手段により前記操作者の視線方向が前記表示画面に向けられていると判定された場合には前記フィードバックを実行しない
ことを特徴とする請求項１に記載の操作装置。
【請求項７】
前記表示画面は、車両室内に搭載されるインストルメントパネルの上面よりも下方に配置されるディスプレイであり、
前記入力手段は、前記車両の運転者によって操作可能な前記車両室内の所定位置に配置された略平面状の操作部を有し、前記操作部に対する前記運転者の手指の接触位置を検出し、前記検出結果に応じて前記操作対象に対する操作入力を行なう
ことを特徴とする請求項１に記載の操作装置。
【発明の詳細な説明】
【技術分野】
【０００１】
この発明は、操作装置に関する。
本願は、２０１１年３月３０日に、日本に出願された特願２０１１−０７６２７１号に基づき優先権を主張し、その内容をここに援用する。
【背景技術】
【０００２】
従来、例えば画面上に表示されたポインタを遠隔操作可能な遠隔操作器において、この遠隔操作器の操作時にポインタがある領域から別の領域に移動したときに、遠隔操作器の操作部に設けられた突起を突出させることで、操作部を操作する指に触覚刺激を与え、操作者が画面上のポインタの動きを注意深く観察していなくてもポインタが別の領域を指したことをフィードバック的に認識することができるようにした技術が知られている（例えば、特許文献１参照）。
【先行技術文献】
【特許文献】
【０００３】
【特許文献１】日本国特開２００５−４３６５号公報
【発明の概要】
【発明が解決しようとする課題】
【０００４】
しかしながら、上記従来技術に係る技術によれば、ポインタがある領域と別の領域の境界線を跨いだときのフィードバックのみを発する構成であるため、操作対象の移動量を認識する必要がある場合、例えばスクロールバーの移動量やアイコンの移動量を認識する場合には有効ではない、という問題が生じる。【０００５】
本発明は、上記事情に鑑みてなされたもので、画面上を注視させることなく操作対象の移動を操作者にフィードバック的に認知させることが可能な操作装置を提供することを目的としている。
【課題を解決するための手段】
【０００６】
（１）上記課題を解決して係る目的を達成するために、本発明に係る一態様は、操作者により操作可能な操作対象を表示する表示画面と、前記表示画面上における前記操作対象の移動方向を操作入力可能な入力手段と、前記入力手段による操作入力に伴って前記操作対象が前記表示画面上を移動したことに応じて、前記操作者が前記表示画面に表示される前記操作対象を直接視認せずに認識可能な所定のフィードバックを行なうフィードバック手段と、を備える操作装置であって、前記入力手段が、前記表示画面上における前記操作対象の前記移動方向への移動速度および移動量を操作入力可能であり、前記フィードバック手段が、前記操作対象の移動速度および前記操作対象の移動開始前の前記表示画面上の位置に対する相対的な移動量のうち少なくとも一方の変化に応じて、前記フィードバックの様態が連続的に変化するように前記フィードバックを行なう。【０００７】
（２）上記（１）の態様において、以下のような構成を採用しても良い：前記フィードバック手段が、音を発することで前記フィードバックを行なう音フィードバック手段を有し、前記操作対象の移動速度および前記操作対象の移動開始前の前記表示画面上の位置に対する相対的な移動量のうち少なくとも一方が大きくなることにつれて、前記音フィードバック手段から発する前記音の周波数および音量のうち少なくとも一方を増大傾向に変化させる。【０００８】
（３）上記（１）または（２）の態様において、以下のような構成を採用しても良い：前記フィードバック手段が、音を発することで前記フィードバックを行なう音フィードバック手段を有し、前記操作対象の移動方向と対応するように前記操作対象の移動方向の変化に応じて前記音の音像を変化させる。【０００９】
（４）上記（１）から（３）何れか一つの態様において、以下のような構成を採用しても良い：前記表示画面および前記フィードバック手段が車両に搭載され、前記フィードバック手段が、音を発することで前記フィードバックを行なう音フィードバック手段を有し、前記入力手段が、前記車両の運転者によって操作可能な車両室内の所定位置に配置され、前記車両に接近する障害物が存在する方向を検出する障害物検出手段を備え、前記音フィードバック手段が、前記障害物検出手段により前記車両に接近する前記障害物が検出された場合に、前記障害物検出手段により検出された前記障害物が存在する方向の音像で前記操作対象の移動に応じて発する前記音とは異なる音を発する。【００１０】
（５）上記（１）の態様において、以下のような構成を採用しても良い：前記フィードバック手段が、前記入力手段に振動を伝達することで前記フィードバックを行なう振動フィードバック手段を有し、前記操作対象の移動速度および前記操作対象の移動開始前の前記表示画面上の位置に対する相対的な移動量のうち少なくとも一方が大きくなることにつれて、前記振動フィードバック手段により前記入力手段に伝達される前記振動の周波数および振幅のうち少なくとも一方を増大傾向に変化させる。【００１１】
（６）上記（１）から（５）何れか一つの態様において、以下のような構成を採用しても良い：前記操作者の視線方向を検出すると共に、前記検出された視線方向が前記表示画面に向けられているか否かを判定する視線検出手段をさらに備え、前記フィードバック手段が、前記視線検出手段により前記操作者の視線方向が前記表示画面に向けられていないと判定された場合には前記フィードバックを実行し、前記視線検出手段により前記操作者の視線方向が前記表示画面に向けられていると判定された場合には前記フィードバックを実行しない。【００１２】
（７）上記（１）から（６）何れか一つの態様において、以下のような構成を採用しても良い：前記表示画面が、車両室内に搭載されるインストルメントパネルの上面よりも下方に配置されるディスプレイであり、前記入力手段は、前記車両の運転者によって操作可能な前記車両室内の所定位置に配置された略平面状の操作部を有し、前記操作部に対する前記運転者の手指の接触位置を検出し、前記検出結果に応じて前記操作対象に対する操作入力を行なう。
【発明の効果】
【００１３】
上記（１）の態様によれば、操作対象の移動に応じて連続したフィードバックを行なうことから、操作者は、表示画面に表示された操作対象を注視する必要無しに、操作対象の移動状態（つまり、移動速度および移動開始前の表示画面上の位置に対する相対的な移動量のうち少なくとも一方）を的確に認識することができる。
これにより、操作者は、入力手段に対する入力操作と操作対象の移動状態との対応関係を容易に学習することができ、表示画面を視認せずに操作対象を操作する、いわゆるブラインド操作を容易に行なうことができ、利便性を向上させることができる。【００１４】
上記（２）の態様によれば、音の周波数および音量のうち少なくとも一方を用いてフィードバックを行なうことから、操作対象の連続的な移動状態の変化を操作者に容易に認識させることができる。【００１５】
上記（３）の態様によれば、音像を用いてフィードバックを行なうことから、操作対象の連続的な移動状態の変化を操作者に容易に認識させることができる。【００１６】
上記（４）の態様によれば、入力手段に対する入力操作を行なっている運転者に対して、車両に接近する障害物が存在する方向を迅速かつ的確に認識させることができ、利便性および車両の走行安全性を向上させることができる。【００１７】
上記（５）の態様によれば、振動を用いてフィードバックを行なうことから、操作対象の連続的な移動状態の変化を操作者にのみ容易に認識させることができ、過剰なフィードバックの実行を防止することができる。【００１８】
上記（６）の態様によれば、操作者の視線方向が表示画面に向けられている場合には、表示によるフィードバックが行なわれることになり、他のフィードバックが不要となり、過剰なフィードバックの実行を防止することができ、操作者に違和感や煩わしさを与えてしまうことを防止することができる。【００１９】
上記（７）の態様によれば、車両のフロントガラスに比べて運転者の視線の逸脱が大きくなる位置（つまり、車両室内に搭載されるインストルメントパネルの上面よりも下方）に配置されるディスプレイで操作対象が表示される場合であっても、運転者は、表示画面に表示された操作対象を注視する必要無しに、操作対象の移動状態を的確に認識することができ、いわゆるブラインド操作を容易に行なうことができ、利便性を向上させることができる。【００２０】
また、例えば操作対象の状態（例えば、カーソル位置や移動量など）との感覚的な対応関係を把握することが難しいタッチパッドなどの入力手段に対しても、連続したフィードバックを行なうことによって、操作者は、表示画面に表示された操作対象を注視する必要無しに、操作対象の移動状態を的確かつ容易に認識することができ、いわゆるブラインド操作を容易に行なうことができ、利便性を向上させることができる。
【図面の簡単な説明】
【００２１】
【図１】本発明の一実施形態に係る操作装置の構成図である。
【図２】同操作装置の移動状態量とフィードバック量との対応関係の一例を示す図である。
【図３】同操作装置の表示画面上での操作対象の移動時の時刻とフィードバック量との対応関係の一例を示す図である。
【図４】同操作装置の表示画面上での操作対象の移動時の時刻とフィードバック量である音量との対応関係の一例を示す図である。
【図５】同操作装置の表示画面上での操作対象の移動時の時刻とフィードバック量である音程との対応関係の一例を示す図である。
【図６】同操作装置の表示画面上での操作対象の移動時の時刻とフィードバック量である音出力を繰り返す際の周波数との対応関係の一例を示す図である。
【図７】同操作装置の表示画面上での操作対象の移動時の時刻とフィードバック量である振動の振幅との対応関係の一例を示す図である。
【図８Ａ】同操作装置の表示画面上の操作対象の位置を示す図である。
【図８Ｂ】同操作装置の表示画面上の操作対象のＸ座標とフィードバック量である音量との対応関係の一例とを示す図である。
【図８Ｃ】同操作装置の表示画面上の操作対象のＹ座標とフィードバック量である音程との対応関係の一例とを示す図である。
【図９Ａ】同操作装置の表示画面上の操作対象の位置を示す図である。
【図９Ｂ】フィードバック量である音場の一例を示す図である。
【図９Ｃ】同操作装置の表示画面上の操作対象の移動時の時刻とフィードバック量である車両の前方部の音量との対応関係の一例とを示す図である。
【図９Ｄ】同操作装置の表示画面上の操作対象の移動時の時刻とフィードバック量である車両の後方部の音量との対応関係の一例とを示す図である。
【図１０Ａ】同操作装置の表示画面上での操作対象の移動の例を示す図である。
【図１０Ｂ】同操作装置の表示画面上での操作対象の移動の例を示す図である。
【図１０Ｃ】同操作装置の表示画面上での操作対象の移動の例を示す図である。
【図１０Ｄ】同操作装置の表示画面上での操作対象の移動の例を示す図である。
【図１１】上記実施形態の変形例に係る操作装置の構成図である。
【発明を実施するための形態】
【００２２】
以下、本発明の一実施形態に係る操作装置について、添付図面を参照しながら説明する。
本実施形態による操作装置１０は、例えば車両に搭載され、図１に示すように、入力操作機器（入力手段）１１と、表示器１２と、スピーカー１３と、アクチュエータ１４と、制御装置１５とを備えて構成されている。
【００２３】
入力操作機器１１は、操作者（例えば、車両の運転者）の入力操作に応じて、表示器１２の表示画面１２ａ上に表示されている適宜の操作対象を移動操作可能なポインティングデバイスであって、例えば車両の運転者によって操作可能な車両室内の所定位置に配置された略平面状の操作部１１ａを有し、この操作部１１ａに対する運転者の手指の接触位置を検出し、この検出結果に応じて表示画面１２ａ上の操作対象に対する操作入力を行なう。
そして、入力操作機器１１は、操作者の入力操作に応じて逐次変化する適宜の時刻ｔでの操作状態量（例えば、操作方向、操作量など）を示す操作入力Ａ（ｔ）の信号を出力する。
【００２４】
表示器１２は、例えば車両の運転者により視認可能に車室内に配置された表示画面１２ａを備え、例えば車両の車両室内に搭載されるインストルメントパネルの上面よりも下方に表示画面１２ａが配置され、制御装置１５により制御される。
【００２５】
スピーカー１３は、例えば車両の運転者により聴取可能に車室内の複数個所（例えば、車両の前方部の左右の２箇所と、車両の後方部の左右の２箇所となど）に配置され、制御装置１５により制御される。
【００２６】
アクチュエータ１４は、例えば制御装置１５により駆動制御されるモータなどを備えて構成され、入力操作機器１１に振動を発生させたり、入力操作機器１１に対する操作者の操作入力に反力を付与したりする。
【００２７】
制御装置１５は、例えば、移動状態検出部２１と、フィードバック制御部２２とを備えて構成されている。
【００２８】
移動状態検出部２１は、例えば、入力操作機器１１から出力される操作入力Ａ（ｔ）の信号に基づき、入力操作機器１１に対する操作者の入力操作に応じて表示器１２の表示画面１２ａ上で移動する操作対象（例えば、カーソル、図形など）の移動状態量を検出する。
そして、入力操作機器１１に対する操作者の入力操作に応じて逐次変化する適宜の時刻ｔでの移動状態量Ｂ（ｔ）の検出結果の信号を出力する。
なお、移動状態量Ｂ（ｔ）は、例えば、表示画面１２ａ上での位置、表示画面１２ａ上での移動方向および移動開始前の位置に対する相対的な移動量からなる移動ベクトル、移動速度、移動加速度などである。
【００２９】
フィードバック制御部２２は、入力操作機器１１に対する操作者の入力操作に伴って操作対象が表示画面１２ａ上を移動したことに応じて、表示画面１２ａに表示される操作対象を直接視認せずに認識可能に、操作者に対して所定のフィードバックを行なう。
【００３０】
フィードバック制御部２２は、例えば、移動状態検出部２１から出力される移動状態量Ｂ（ｔ）の検出結果の信号に基づき、移動状態量Ｂ（ｔ）の変化に伴い連続的に変化するフィードバック量Ｚ（ｔ）を生成し、このフィードバック量Ｚ（ｔ）によって操作者にフィードバックを行なう。
【００３１】
なお、移動状態量Ｂ（ｔ）の変化は、例えば、表示画面１２ａ上での操作対象の移動速度および表示画面１２ａ上での操作対象の移動開始前の位置に対する相対的な移動量のうち少なくとも一方の変化や、表示画面１２ａ上での操作対象の位置の変化や、表示画面１２ａ上での操作対象の移動方向の変化や、表示画面１２ａ上での操作対象の移動加速度の変化などである。
【００３２】
また、フィードバック量Ｚ（ｔ）は、例えば、スピーカー１３から出力される音に対する各種の状態量（例えば、音量、音程、音色、音場、音像、音出力を繰り返す際の周波数など）や、アクチュエータ１４によって入力操作機器１１に伝達される振動に対する各種の状態量（例えば、周波数、振幅など）や、アクチュエータ１４によって入力操作機器１１に付与される操作入力の反力に対する各種の状態量（例えば、大きさなど）である。
【００３３】
例えば、フィードバック制御部（音フィードバック手段）２２は、表示画面１２ａ上での操作対象の移動速度および表示画面１２ａ上での操作対象の移動開始前の位置に対する相対的な移動量のうち少なくとも一方が大きくなることにつれて、スピーカー１３から発する音の周波数および音量のうち少なくとも一方を増大傾向に変化させる。
【００３４】
また、例えば、フィードバック制御部（音フィードバック手段）２２は、表示画面１２ａ上での操作対象の移動方向と対応するように操作対象の移動方向の変化に応じてスピーカー１３から発する音の音像を変化させる。
【００３５】
また、例えば、フィードバック制御部（振動フィードバック手段）２２は、表示画面１２ａ上での操作対象の移動速度および表示画面１２ａ上での操作対象の移動開始前の位置に対する相対的な移動量のうち少なくとも一方が大きくなることにつれて、アクチュエータ１４によって入力操作機器１１に伝達される振動の周波数および振幅のうち少なくとも一方を増大傾向に変化させる。
【００３６】
本実施の形態による操作装置１０は上記構成を備えており、次に、この操作装置１０の動作について説明する。
【００３７】
フィードバック制御部２２は、例えば図２に示すように、表示画面１２ａ上での操作対象の移動開始前の位置に対する相対的な移動量、移動速度、移動加速度などの移動状態量Ｂ（ｔ）の増大に伴い、増大傾向に変化するフィードバック量Ｚ（ｔ）を生成する。
【００３８】
また、フィードバック制御部２２は、例えば図３に示すように、表示画面１２ａ上で操作対象が移動を開始してから移動を終了するまでの期間において、移動を開始した初期においては時刻ｔの経過に伴いフィードバック量の増大率が増大傾向に変化するように、かつ、移動を終了する終期においては時刻ｔの経過に伴いフィードバック量の増大率が減少傾向に変化するように設定する。
【００３９】
また、フィードバック制御部２２は、例えば図４に示すように、表示画面１２ａ上で操作対象が移動を開始してから移動を終了するまでの期間において、フィードバック量をスピーカー１３から出力される音の音量とした場合、移動を開始した初期においては時刻ｔの経過に伴い音量の増大率が増大傾向に変化するように、かつ、移動を終了する終期においては時刻ｔの経過に伴い音量の増大率が減少傾向に変化するように設定する。
【００４０】
また、フィードバック制御部２２は、例えば図５に示すように、表示画面１２ａ上で操作対象が移動を開始してから移動を終了するまでの期間において、フィードバック量をスピーカー１３から出力される音の音程とした場合、移動を開始した初期においては時刻ｔの経過に伴い音程の増大率が増大傾向に変化するように、かつ、移動を終了する終期においては時刻ｔの経過に伴い音程の増大率が減少傾向に変化するように設定する。
【００４１】
また、フィードバック制御部２２は、例えば図６に示すように、表示画面１２ａ上で操作対象が移動を開始してから移動を終了するまでの期間において、フィードバック量をスピーカー１３から出力される音の音出力を繰り返す際の周波数とした場合、時刻ｔの経過に伴い周波数が増大傾向に変化するように設定する。
【００４２】
また、フィードバック制御部２２は、例えば図７に示すように、表示画面１２ａ上で操作対象が移動を開始してから移動を終了するまでの期間において、フィードバック量をアクチュエータ１４によって入力操作機器１１に伝達される振動の振幅とした場合、時刻ｔの経過に伴い振幅が減少傾向に変化するように設定する。
【００４３】
また、フィードバック制御部２２は、例えば図８Ａ〜８Ｃに示すように、表示画面１２ａ上での操作対象の位置（例えば、Ｘ座標およびＹ座標による２次元座標位置（Ｘ、Ｙ）など）に応じたフィードバック量を、スピーカー１３から出力される音の音量および音程とした場合、これらを操作対象の位置に応じて連続的に変化させる。
【００４４】
例えば、フィードバック制御部２２は、表示画面１２ａ上での操作対象のＸ座標がゼロから表示画面１２ａの中心部Ｃに向かい増大することに伴い、音量が低下傾向に変化するように、かつ、Ｘ座標が表示画面１２ａの中心部Ｃから離間して増大することに伴い、音量が増大傾向に変化するように設定する。
また、例えば、表示画面１２ａ上での操作対象のＹ座標がゼロから表示画面１２ａの中心部Ｃに向かい増大することに伴い、音程の増大率が増大傾向に変化するように、かつ、Ｙ座標が表示画面１２ａの中心部Ｃから離間して増大することに伴い、音程の増大率が減少傾向に変化するように設定する。
なお、図８Ａ〜８Ｃは、表示画面１２ａ上での操作対象が２次元座標位置（Ｘ１、Ｙ１）にある場合の一例である。
【００４５】
また、フィードバック制御部２２は、例えば図９Ａ〜９Ｄに示すように、表示画面１２ａ上での操作対象の位置（例えば、Ｘ座標およびＹ座標による２次元座標位置（Ｘ、Ｙ）など）に応じたフィードバック量を、スピーカー１３から出力される音の音場とした場合、音場を操作対象の位置に応じて連続的に変化させる。
【００４６】
例えば、フィードバック制御部２２は、表示画面１２ａ上で操作対象のＹ座標が減少傾向に変化することに伴い、車両の前方部の左右の２箇所に配置されたスピーカー１３の音量を減少傾向に変化させ、車両の後方部の左右の２箇所に配置されたスピーカー１３の音量を増大傾向に変化させる。
【００４７】
なお、入力操作機器１１に対する操作者の入力操作に応じた表示画面１２ａ上での操作対象の移動には、例えば図１０Ａに示すように、表示画面１２ａ上の任意の位置を指し示す所定図形Ｐ１の移動によるポインティング動作が含まれる。
【００４８】
また、入力操作機器１１に対する操作者の入力操作に応じた表示画面１２ａ上での操作対象の移動には、例えば図１０Ｂに示すように、所定のスクロール指示図形Ｐ２の移動を伴う表示画面１２ａのスクロール動作が含まれる。
【００４９】
また、入力操作機器１１に対する操作者の入力操作に応じた表示画面１２ａ上での操作対象の移動には、例えば図１０Ｃに示すように、表示画面１２ａ上の適宜の図形Ｐｂを移動させて他の図形Ｐａ上に重畳させるドラッグ＆ドロップ動作が含まれる。
【００５０】
また、入力操作機器１１に対する操作者の入力操作に応じた表示画面１２ａ上での操作対象の移動には、例えば図１０Ｄに示すように、表示画面１２ａ上の図形Ｐ３を拡大（または縮小）させる拡大縮小動作が含まれる。
【００５１】
上述したように、本実施の形態による操作装置１０によれば、操作対象の移動に応じて連続したフィードバックを行なうことから、操作者は、表示画面１２ａに表示された操作対象を注視する必要無しに、操作対象の移動状態（つまり、移動速度および移動開始前の表示画面１２ａ上の位置に対する相対的な移動量のうち少なくとも一方）を的確に認識することができる。
これにより、操作者は、入力操作機器１１に対する入力操作と操作対象の移動状態との対応関係を容易に学習することができ、表示画面１２ａを視認せずに操作対象を操作する、いわゆるブラインド操作を容易に行なうことができ、利便性を向上させることができる。
【００５２】
さらに、音の周波数および音量のうち少なくとも一方または音像などを用いてフィードバックを行なうことから、操作対象の連続的な移動状態の変化を操作者に容易に認識させることができる。
さらに、振動を用いてフィードバックを行なうことから、操作対象の連続的な移動状態の変化を操作者にのみ容易に認識させることができ、過剰なフィードバックの実行を防止することができる。
【００５３】
さらに、車両のフロントガラスに比べて運転者の視線の逸脱が大きくなる位置（つまり、車両室内に搭載されるインストルメントパネルの上面よりも下方）に配置される表示画面１２ａで操作対象が表示される場合であっても、運転者は、表示画面１２ａに表示された操作対象を注視する必要無しに、操作対象の移動状態を的確に認識することができ、いわゆるブラインド操作を容易に行なうことができ、利便性を向上させることができる。
【００５４】
また、例えば操作対象の状態（例えば、カーソル位置や移動量など）との感覚的な対応関係を把握することが難しいタッチパッドなどの入力操作機器１１に対しても、連続したフィードバックを行なうことによって、操作者は、表示画面１２ａに表示された操作対象を注視する必要無しに、操作対象の移動状態を的確かつ容易に認識することができ、いわゆるブラインド操作を容易に行なうことができ、利便性を向上させることができる。
【００５５】
なお、上述した実施の形態の変形例に係る操作装置１０は、例えば図１１に示すように、入力操作機器１１と、表示器１２と、スピーカー１３と、アクチュエータ１４と、制御装置１５と、視線センサ（視線検出手段）１６と、外界センサ（障害物検出手段）１７とを備えて構成されている。
さらに、この変形例において、制御装置１５は、例えば、移動状態検出部２１と、フィードバック制御部２２と、視線検出部（視線検出手段）２３と、障害物検出部（障害物検出手段）２４とを備えて構成されている。
【００５６】
視線センサ１６は、例えば、少なくとも車両の座席に着座した乗員の顔を撮像対象として撮像領域内に含み、可視光領域および赤外線領域にて撮像可能であって、順次撮像して得られる乗員の顔を含む顔画像を、制御装置１５に出力する乗員カメラ（図示略）を備えている。
【００５７】
外界センサ１７は、例えば、赤外光レーザやミリ波などの電磁波によるレーダ装置や撮像装置、熱源追尾装置などにより構成されている。
例えばレーダ装置は、車両の外界に設定された検出対象領域を複数の角度領域に分割し、各角度領域を走査するようにして、電磁波の発信信号を発信する。そして、各発信信号が車両の外部の物体（例えば、他車両や構造物など）や歩行者によって反射されることで生じた反射信号を受信し、レーダ装置から外部の物体や歩行者までの距離に係る検知信号を生成し、制御装置１５に出力する。
また、例えば撮像装置は、車両の外界に設定された撮像領域を撮像して得た画像に所定の画像処理を行なって画像データを生成し、制御装置１５に出力する。
【００５８】
視線検出部２３は、例えば、視線センサ１６の乗員カメラから出力された乗員の顔画像に対して所定の認識処理を行ない、乗員の眼の瞳孔または虹彩の中心位置、所定の光源（図示略）から照射された光の角膜表面における反射点（例えば、赤外線の反射像であるプルキニエ像の中心位置）、乗員の眼の目頭の位置などを検出する。
そして、これらの検出結果に基づき、例えば、眼の瞳孔または虹彩の中心位置と角膜表面の反射点との相対距離、あるいは、眼の瞳孔または虹彩の中心位置と目頭の位置との相対距離などから、乗員の視線方向を検知する。
【００５９】
障害物検出部２４は、例えば外界センサ１７のレーダ装置から出力される検知信号あるいは撮像装置から出力される画像データなどに基づき、車両の外界に存在する他車両や構造物や歩行者などの障害物を検出する。そして、この障害物までの距離、障害物の移動速度および移動方向、障害物の位置などを検出し、これらの検出結果の信号を出力する。
【００６０】
この変形例において、フィードバック制御部２２は、例えば、表示画面１２ａ上での操作対象の移動に応じて所定の音をスピーカー１３から発する状態において、障害物検出部２４から出力される検出結果の信号に基づき、車両に接近する障害物が存在する場合には、障害物が存在する方向の音像で、操作対象の移動に応じて発する所定の音とは異なる音（例えば、警報音など）を発生させる。
【００６１】
これにより、入力操作機器１１に対する入力操作を行なっている運転者に対して、車両に接近する障害物が存在する方向を迅速かつ的確に認識させることができ、利便性および車両の走行安全性を向上させることができる。
【００６２】
また、フィードバック制御部２２は、例えば、視線検出部２３から出力される操作者の視線方向の検出結果に基づき、操作者の視線方向が表示画面１２ａに向けられているか否かを判定し、この判定結果に応じてフィードバックの実行有無を判定する。
例えば、フィードバック制御部２２は、操作者の視線方向が表示画面１２ａに向けられていないと判定した場合にはフィードバックを実行し、操作者の視線方向が表示画面１２ａに向けられていると判定した場合にはフィードバックの実行を停止する。
【００６３】
これにより、操作者の視線方向が表示画面１２ａに向けられている場合には、いわば表示によるフィードバックが行なわれることになり、他のフィードバックが不要となり、過剰なフィードバックの実行を防止することができ、操作者に違和感や煩わしさを与えてしまうことを防止することができる。
【００６４】
なお、上述した実施の形態に係る操作装置１０において、フィードバック制御部２２は、表示画面１２ａ上での操作対象の移動状態量に応じたフィードバック量を生成するとしたが、これに限定されず、さらに、表示画面１２ａ上での操作対象の位置に応じたフィードバック量を生成してもよい。
例えば、フィードバック制御部２２は、表示画面１２ａ上の所定位置を基準位置として、この基準位置から離間することに伴いフィードバック量が増大傾向に変化するように設定する。
【００６５】
なお、上述した実施の形態に係る操作装置１０において、フィードバック制御部２２は、入力操作機器１１に対する操作者の入力操作の履歴を記憶し、入力操作の滑らかさや、操作速度などの検知結果から、入力操作機器１１に対する入力操作の習熟度や、熟練度を推定し、習熟度や、熟練度が低いほど、フィードバック量を増大させてもよい。
【００６６】
また、上述した実施の形態に係る操作装置１０において、フィードバック制御部２２は、入力操作機器１１に対する操作者の入力操作の履歴を記憶し、入力操作の実行頻度の検知結果に応じて、入力操作の実行頻度が低いほど、フィードバック量を増大させてもよい。
【００６７】
また、上述した実施の形態に係る操作装置１０において、フィードバック制御部２２は、外部ノイズ（例えば、運転者が聴取可能な音のノイズや、車両振動などに起因して入力操作機器１１に作用する振動のノイズなど）の大きさに応じてフィードバック量を変化させてもよい。
【００６８】
また、上述した実施の形態に係る操作装置１０において、フィードバック制御部２２は、より優先度が高い動作（例えば、各種の警報動作など）により音の出力や振動の発生などの運転者に対する刺激が加えられた場合には、より優先度が低い他の動作のフィードバック量を低減させてもよい。
【００６９】
なお、上述した実施の形態に係る操作装置１０において、入力操作機器１１は、例えば、タッチパネル、タッチパッド、マウス、トラックボール、ジョイスティック、ペンタブレット、ダイヤルスイッチ、プッシュボタン、ジェスチャー入力機器、遠隔入力機器などであってもよい。
【００７０】
また、上述した実施の形態に係る操作装置１０において、表示器１２は、例えば車両のダッシュボードの上部に表示画面１２ａが配置されたダッシュボードディスプレイや、車両のフロントウィンドウ上を表示画面１２ａとして表示を行なうヘッドアップディスプレイや、車両のインストルメントパネルに表示画面が配置されたマルチインフォメーションディスプレイや、車両のインストルメントパネルの各種計器類付近に表示画面１２ａが配置されたディスプレイなどであってもよい。
【産業上の利用可能性】
【００７１】
本発明によれば、画面上を注視させることなく操作対象の移動を操作者にフィードバック的に認知させることが可能な操作装置を提供できる。
【符号の説明】
【００７２】
１０  操作装置
１１  入力操作機器（入力手段）
１１ａ  操作部
１２  表示器  
１２ａ  表示画面
１６  視線センサ（視線検出手段）
１７  外界センサ（障害物検出手段）
２２  フィードバック制御部（フィードバック手段、音フィードバック手段、振動フィードバック手段）
２３  視線検出部（視線検出手段）
２４  障害物検出部（障害物検出手段）
【図１】
2012132495.tif 000003
【図２】
2012132495.tif 000004
【図３】
2012132495.tif 000005
【図４】
2012132495.tif 000006
【図５】
2012132495.tif 000007
【図６】
2012132495.tif 000008
【図７】
2012132495.tif 000009
【図８Ａ】
2012132495.tif 000010
【図８Ｂ】
2012132495.tif 000011
【図８Ｃ】
2012132495.tif 000012
【図９Ａ】
2012132495.tif 000013
【図９Ｂ】
2012132495.tif 000014
【図９Ｃ】
2012132495.tif 000015
【図９Ｄ】
2012132495.tif 000016
【図１０Ａ】
2012132495.tif 000017
【図１０Ｂ】
2012132495.tif 000018
【図１０Ｃ】
2012132495.tif 000019
【図１０Ｄ】
2012132495.tif 000020
【図１１】
2012132495.tif 000021
【手続補正書】
【提出日】平成24年7月25日(2012.7.25)
【手続補正１】
【補正対象書類名】特許請求の範囲
【補正対象項目名】全文
【補正方法】変更
【補正の内容】
【特許請求の範囲】
【請求項１】
操作者により操作可能な操作対象を表示する表示画面と、
前記表示画面上における前記操作対象の移動方向を操作入力可能な入力手段と、
前記入力手段による操作入力に伴って前記操作対象が前記表示画面上を移動したことに応じて、前記操作者が前記表示画面に表示される前記操作対象を直接視認せずに認識可能な所定のフィードバックを行なうフィードバック手段と、を備える操作装置であって、
前記入力手段は、前記表示画面上における前記操作対象の前記移動方向への移動速度および移動量を操作入力可能であり、
前記フィードバック手段は、前記操作対象の前記表示画面上における移動速度および前記操作対象の前記表示画面上における移動開始前の位置に対する相対的な移動量のうち少なくとも一方の変化に応じて、前記フィードバックの様態が連続的に変化するように前記フィードバックを行なう
ことを特徴とする操作装置。
【請求項２】
前記フィードバック手段は、音を発することで前記フィードバックを行なう音フィードバック手段を有し、
前記操作対象の移動速度および前記操作対象の移動開始前の前記表示画面上の位置に対する相対的な移動量のうち少なくとも一方が大きくなることにつれて、前記音フィードバック手段から発する前記音の周波数および音量のうち少なくとも一方を増大傾向に変化させる
ことを特徴とする請求項１に記載の操作装置。
【請求項３】
前記フィードバック手段は、音を発することで前記フィードバックを行なう音フィードバック手段を有し、
前記操作対象の移動方向と対応するように前記操作対象の移動方向の変化に応じて前記音の音像を変化させる
ことを特徴とする請求項１に記載の操作装置。
【請求項４】
前記表示画面および前記フィードバック手段は車両に搭載され、
前記フィードバック手段は、音を発することで前記フィードバックを行なう音フィードバック手段を有し、
前記入力手段は、前記車両の運転者によって操作可能な車両室内の所定位置に配置され、前記車両に接近する障害物が存在する方向を検出する障害物検出手段を備え、
前記音フィードバック手段は、前記障害物検出手段により前記車両に接近する前記障害物が検出された場合には、前記障害物検出手段により検出された前記障害物が存在する方向の音像で前記操作対象の移動に応じて発する前記音とは異なる音を発する
ことを特徴とする請求項１に記載の操作装置。
【請求項５】
前記フィードバック手段は、前記入力手段に振動を伝達することで前記フィードバックを行なう振動フィードバック手段を有し、
前記操作対象の移動速度および前記操作対象の移動開始前の前記表示画面上の位置に対する相対的な移動量のうち少なくとも一方が大きくなることにつれて、前記振動フィードバック手段により前記入力手段に伝達される前記振動の周波数および振幅のうち少なくとも一方を増大傾向に変化させる
ことを特徴とする請求項１に記載の操作装置。
【請求項６】
前記操作者の視線方向を検出すると共に、前記検出された視線方向が前記表示画面に向けられているか否かを判定する視線検出手段をさらに備え、
前記フィードバック手段は、前記視線検出手段により前記操作者の視線方向が前記表示画面に向けられていないと判定された場合には前記フィードバックを実行し、前記視線検出手段により前記操作者の視線方向が前記表示画面に向けられていると判定された場合には前記フィードバックを実行しない
ことを特徴とする請求項１に記載の操作装置。
【請求項７】
前記表示画面は、車両室内に搭載されるインストルメントパネルの上面よりも下方に配置されるディスプレイであり、
前記入力手段は、前記車両の運転者によって操作可能な前記車両室内の所定位置に配置された略平面状の操作部を有し、前記操作部に対する前記運転者の手指の接触位置を検出し、前記検出結果に応じて前記操作対象に対する操作入力を行なう
ことを特徴とする請求項１に記載の操作装置。
【請求項８】
前記フィードバック手段は、前記入力操作の滑らかさ又は操作速度から前記入力手段に対する前記入力操作の習熟度を推定し、該習熟度が低いほど、フィードバック量を増大させることを特徴とする請求項１に記載の操作装置。
【請求項９】
前記入力手段に対する前記操作者の入力操作の履歴を記憶する記憶手段をさらに備え、
前記フィードバック手段は、前記入力操作の実行頻度が低いほど、フィードバック量を増大させることを特徴とする請求頃１に記載の操作装置。
【手続補正書】
【提出日】平成26年2月17日(2014.2.17)
【手続補正１】
【補正対象書類名】特許請求の範囲
【補正対象項目名】全文
【補正方法】変更
【補正の内容】
【特許請求の範囲】
【請求項１】
操作者により操作可能な操作対象を表示する表示画面と、
前記表示画面上における前記操作対象の移動方向、前記移動方向への移動速度、および前記移動方向への移動量を操作入力可能な入力手段と、
前記入力手段による操作入力に伴って前記操作対象が前記表示画面上を移動した場合の移動速度および前記操作対象の前記表示画面上における移動開始前の位置に対する相対的な移動量のうちの少なくとも一方を検出する検出手段と、
前記検出手段によって検出された前記移動速度および前記移動量のうち少なくとも一方の変化に応じて、前記操作者が前記表示画面に表示される前記操作対象を直接視認せずに認識可能な所定のフィードバックを行なうフィードバック手段と、を備える
ことを特徴とする操作装置。
【請求項２】
前記フィードバック手段は、前記操作対象が、前記表示画面上に設定されている所定の座標に向かうほど前記フィードバックの変化もしくは変化率の少なくともどちらかを増大し、
更に、前記所定の座標から離間するほど前記フィードバックの変化もしくは変化率の少なくともどちらかを減少させるように前記所定のフィードバックを行なう
ことを特徴とする請求項１に記載の操作装置。
【請求項３】
前記フィードバック手段は、音を発することで前記フィードバックを行なう音フィードバック手段を有し、
前記操作対象の移動速度および前記操作対象の移動開始前の前記表示画面上の位置に対する相対的な移動量のうち少なくとも一方が大きくなることにつれて、前記音フィードバック手段から発する前記音の周波数および音量のうち少なくとも一方を増大傾向に変化させる
ことを特徴とする請求項１に記載の操作装置。
【請求項４】
前記フィードバック手段は、音を発することで前記フィードバックを行なう音フィードバック手段を有し、
前記操作対象の移動方向と対応するように前記操作対象の移動方向の変化に応じて前記音の音像を変化させる
ことを特徴とする請求項１に記載の操作装置。
【請求項５】
前記表示画面および前記フィードバック手段は車両に搭載され、
前記フィードバック手段は、音を発することで前記フィードバックを行なう音フィードバック手段を有し、
前記入力手段は、前記車両の運転者によって操作可能な車両室内の所定位置に配置され、前記車両に接近する障害物が存在する方向を検出する障害物検出手段を備え、
前記音フィードバック手段は、前記障害物検出手段により前記車両に接近する前記障害物が検出された場合には、前記障害物検出手段により検出された前記障害物が存在する方向の音像で前記操作対象の移動に応じて発する前記音とは異なる音を発する
ことを特徴とする請求項１に記載の操作装置。
【請求項６】
前記フィードバック手段は、前記入力手段に振動を伝達することで前記フィードバックを行なう振動フィードバック手段を有し、
前記操作対象の移動速度および前記操作対象の移動開始前の前記表示画面上の位置に対する相対的な移動量のうち少なくとも一方が大きくなることにつれて、前記振動フィードバック手段により前記入力手段に伝達される前記振動の周波数および振幅のうち少なくとも一方を増大傾向に変化させる
ことを特徴とする請求項１に記載の操作装置。
【請求項７】
前記操作者の視線方向を検出すると共に、前記検出された視線方向が前記表示画面に向けられているか否かを判定する視線検出手段をさらに備え、
前記フィードバック手段は、前記視線検出手段により前記操作者の視線方向が前記表示画面に向けられていないと判定された場合には前記フィードバックを実行し、前記視線検出手段により前記操作者の視線方向が前記表示画面に向けられていると判定された場合には前記フィードバックを実行しない
ことを特徴とする請求項１に記載の操作装置。
【請求項８】
前記表示画面は、車両の室内に搭載されるインストルメントパネルの上面よりも下方に配置されるディスプレイであり、
前記入力手段は、前記車両の運転者によって操作可能な前記車両の室内の所定位置に配置された略平面状の操作部を有し、前記操作部に対する前記運転者の手指の接触位置を検出し、該検出の結果に応じて前記操作対象に対する操作入力を行なう
ことを特徴とする請求項１に記載の操作装置。
【請求項９】
前記フィードバック手段は、前記入力手段に対する入力操作の滑らかさ又は操作速度から前記入力手段に対する前記入力操作の習熟度を推定し、該習熟度が低いほど、フィードバック量を増大させることを特徴とする請求項１に記載の操作装置。
【請求項１０】
前記入力手段に対する前記操作者の入力操作の履歴を記憶する記憶手段をさらに備え、前記フィードバック手段は、前記入力操作の実行頻度が低いほど、フィードバック量を増大させることを特徴とする請求項１に記載の操作装置。
【手続補正２】
【補正対象書類名】明細書
【補正対象項目名】０００６
【補正方法】変更
【補正の内容】
【０００６】
（１）上記課題を解決して係る目的を達成するために、本発明に係る一態様は、操作者により操作可能な操作対象を表示する表示画面と、前記表示画面上における前記操作対象の移動方向、前記移動方向への移動速度、および前記移動方向への移動量を操作入力可能な入力手段と、前記入力手段による操作入力に伴って前記操作対象が前記表示画面上を移動した場合の移動速度および前記操作対象の前記表示画面上における移動開始前の位置に対する相対的な移動量のうちの少なくとも一方を検出する検出手段と、前記検出手段によって検出された前記移動速度および前記移動量のうち少なくとも一方の変化に応じて、前記操作者が前記表示画面に表示される前記操作対象を直接視認せずに認識可能な所定のフィードバックを行なうフィードバック手段と、を備える。
【手続補正３】
【補正対象書類名】明細書
【補正対象項目名】０００７
【補正方法】変更
【補正の内容】
【０００７】
（２）上記（１）の態様において、以下のような構成を採用してもよい。前記フィードバック手段は、前記操作対象が、前記表示画面上に設定されている所定の座標に向かうほど前記フィードバックの変化もしくは変化率の少なくともどちらかを増大し、更に、前記所定の座標から離間するほど前記フィードバックの変化もしくは変化率の少なくともどちらかを減少させるように前記所定のフィードバックを行なう。
（３）上記（１）の態様において、以下のような構成を採用してもよい。前記フィードバック手段が、音を発することで前記フィードバックを行なう音フィードバック手段を有し、前記操作対象の移動速度および前記操作対象の移動開始前の前記表示画面上の位置に対する相対的な移動量のうち少なくとも一方が大きくなることにつれて、前記音フィードバック手段から発する前記音の周波数および音量のうち少なくとも一方を増大傾向に変化させる。
【手続補正４】
【補正対象書類名】明細書
【補正対象項目名】０００８
【補正方法】変更
【補正の内容】
【０００８】
（４）上記（１）の態様において、以下のような構成を採用してもよい。前記フィードバック手段が、音を発することで前記フィードバックを行なう音フィードバック手段を有し、前記操作対象の移動方向と対応するように前記操作対象の移動方向の変化に応じて前記音の音像を変化させる。
【手続補正５】
【補正対象書類名】明細書
【補正対象項目名】０００９
【補正方法】変更
【補正の内容】
【０００９】
（５）上記（１）の態様において、以下のような構成を採用してもよい。前記表示画面および前記フィードバック手段が車両に搭載され、前記フィードバック手段は、音を発することで前記フィードバックを行なう音フィードバック手段を有し、前記入力手段は、前記車両の運転者によって操作可能な車両室内の所定位置に配置され、前記車両に接近する障害物が存在する方向を検出する障害物検出手段を備え、前記音フィードバック手段は、前記障害物検出手段により前記車両に接近する前記障害物が検出された場合には、前記障害物検出手段により検出された前記障害物が存在する方向の音像で前記操作対象の移動に応じて発する前記音とは異なる音を発する。
【手続補正６】
【補正対象書類名】明細書
【補正対象項目名】００１０
【補正方法】変更
【補正の内容】
【００１０】
（６）上記（１）の態様において、以下のような構成を採用してもよい。前記フィードバック手段が、前記入力手段に振動を伝達することで前記フィードバックを行なう振動フィードバック手段を有し、前記操作対象の移動速度および前記操作対象の移動開始前の前記表示画面上の位置に対する相対的な移動量のうち少なくとも一方が大きくなることにつれて、前記振動フィードバック手段により前記入力手段に伝達される前記振動の周波数および振幅のうち少なくとも一方を増大傾向に変化させる。
【手続補正７】
【補正対象書類名】明細書
【補正対象項目名】００１１
【補正方法】変更
【補正の内容】
【００１１】
（７）上記（１）の態様において、以下のような構成を採用してもよい。前記操作者の視線方向を検出すると共に、前記検出された視線方向が前記表示画面に向けられているか否かを判定する視線検出手段をさらに備え、前記フィードバック手段は、前記視線検出手段により前記操作者の視線方向が前記表示画面に向けられていないと判定された場合には前記フィードバックを実行し、前記視線検出手段により前記操作者の視線方向が前記表示画面に向けられていると判定された場合には前記フィードバックを実行しない。
【手続補正８】
【補正対象書類名】明細書
【補正対象項目名】００１２
【補正方法】変更
【補正の内容】
【００１２】
（８）上記（１）の態様において、以下のような構成を採用してもよい。前記表示画面が、車両の室内に搭載されるインストルメントパネルの上面よりも下方に配置されるディスプレイであり、前記入力手段は、前記車両の運転者によって操作可能な前記車両の室内の所定位置に配置された略平面状の操作部を有し、前記操作部に対する前記運転者の手指の接触位置を検出し、該検出の結果に応じて前記操作対象に対する操作入力を行なう。
（９）上記（１）の態様において、以下のような構成を採用してもよい。前記フィードバック手段が、前記入力手段に対する入力操作の滑らかさ又は操作速度から前記入力手段に対する前記入力操作の習熟度を推定し、該習熟度が低いほど、フィードバック量を増大させる。
（１０）上記（１）の態様において、以下のような構成を採用してもよい。前記入力手段に対する前記操作者の入力操作の履歴を記憶する記憶手段をさらに備え、前記フィードバック手段は、前記入力操作の実行頻度が低いほど、フィードバック量を増大させる。
【手続補正９】
【補正対象書類名】明細書
【補正対象項目名】００１３
【補正方法】変更
【補正の内容】
【００１３】
上記（１）の態様によれば、操作対象の移動に応じて連続したフィードバックを行なうことから、操作者は、表示画面に表示された操作対象を注視する必要無しに、操作対象の移動状態（つまり、移動速度および移動開始前の表示画面上の位置に対する相対的な移動量のうち少なくとも一方）を的確に認識することができる。
これにより、操作者は、入力手段に対する入力操作と操作対象の移動状態との対応関係を容易に学習することができ、表示画面を視認せずに操作対象を操作する、いわゆるブラインド操作を容易に行なうことができ、利便性を向上させることができる。
【手続補正１０】
【補正対象書類名】明細書
【補正対象項目名】００１４
【補正方法】変更
【補正の内容】
【００１４】
上記（３）の態様によれば、音の周波数および音量のうち少なくとも一方を用いてフィードバックを行なうことから、操作対象の連続的な移動状態の変化を操作者に容易に認識させることができる。
【手続補正１１】
【補正対象書類名】明細書
【補正対象項目名】００１５
【補正方法】変更
【補正の内容】
【００１５】
上記（４）の態様によれば、音像を用いてフィードバックを行なうことから、操作対象の連続的な移動状態の変化を操作者に容易に認識させることができる。
【手続補正１２】
【補正対象書類名】明細書
【補正対象項目名】００１６
【補正方法】変更
【補正の内容】
【００１６】
上記（５）の態様によれば、入力手段に対する入力操作を行なっている運転者に対して、車両に接近する障害物が存在する方向を迅速かつ的確に認識させることができ、利便性および車両の走行安全性を向上させることができる。
【手続補正１３】
【補正対象書類名】明細書
【補正対象項目名】００１７
【補正方法】変更
【補正の内容】
【００１７】
上記（６）の態様によれば、振動を用いてフィードバックを行なうことから、操作対象の連続的な移動状態の変化を操作者にのみ容易に認識させることができ、過剰なフィードバックの実行を防止することができる。
【手続補正１４】
【補正対象書類名】明細書
【補正対象項目名】００１８
【補正方法】変更
【補正の内容】
【００１８】
上記（７）の態様によれば、操作者の視線方向が表示画面に向けられている場合には、表示によるフィードバックが行なわれることになり、他のフィードバックが不要となり、過剰なフィードバックの実行を防止することができ、操作者に違和感や煩わしさを与えてしまうことを防止することができる。
【手続補正１５】
【補正対象書類名】明細書
【補正対象項目名】００１９
【補正方法】変更
【補正の内容】
【００１９】
上記（８）の態様によれば、車両のフロントガラスに比べて運転者の視線の逸脱が大きくなる位置（つまり、車両室内に搭載されるインストルメントパネルの上面よりも下方）に配置されるディスプレイで操作対象が表示される場合であっても、運転者は、表示画面に表示された操作対象を注視する必要無しに、操作対象の移動状態を的確に認識することができ、いわゆるブラインド操作を容易に行なうことができ、利便性を向上させることができる。
【国際調査報告】
2012132495.tif 000022
2012132495.tif 000023
2012132495.tif 000024
2012132495.tif 000025
2012132495.tif 000026
2012132495.tif 000027